(57)【特許請求の範囲】
【請求項１】
内層が紙、外層がプラスチックフィルムよりなる積層シートの筒状体から構成され、筒状体の一方の端部を底部として閉塞し、他端部を開封用の閉塞部とする積層袋であって、該積層シート側端部の接合は、該積層袋の内面に位置する積層シートの内層の側端部をプラスチックフィルムの側端部より延出させた延出部と、積層袋の外面に位置する内層とのみで行うことを特徴とする積層袋。
【請求項２】
前記積層袋の外面の側端が同一長さの内層と外層で構成されている請求項１記載の積層袋。
【請求項３】
前記積層袋の外面の側端が内層よりも外層が延出状態に構成されている請求項１記載の積層袋。
【請求項４】
前記積層袋が両側端にガセット部を有し、その底部および／または開封用閉塞部を一回折り曲げで閉塞し、その上からカットテープが接着一体化されているオーバーテープで覆い封緘接着されている請求項１ないし３のいずれか１記載の積層袋。
【発明の詳細な説明】
【０００１】
【発明の属する技術分野】
本発明は、主にペットフードなどの飼料、砂糖、化成品原料などの粉粒体の包装に使用される積層袋に関するものであって、より詳しくは、安価にかつ簡便に積層シートを胴貼りして筒状体にすることができ、かつ、上記内容物を収納するに十分な強度を保持した積層袋に関する。
【０００２】
【従来の技術】
従来からペットフードなどの飼料、砂糖、化成品原料などの粉粒体の包装用として、紙を基本素材とし、用途または内容物の種類に応じてプラスチックを複合させて防湿性などに優れかつ必要な強度を持った積層袋が、種々開発され広く流通している。これらの積層袋は、その時代の要請に合わせて種々改良されてきた。例えば、ペットフードの包装用の積層袋としては、紙にプラスチックフィルムを積層した積層シートを胴貼りして筒状体にし、その開口部を閉じて袋状にしたものが有ったが、胴貼りの強度を充分にするため、ミシン縫いにしたり、必要以上に貼りしろを多く取ったりしていた。また、その開口部をミシン縫いにより閉じるものが有ったが、開封する際ミシン縫いした糸の切れ屑がペットフードに混入するために、その改良が望まれている。
【０００３】
本発明者らは、かかる従来技術の問題点を解決するために、積層シートの使用量が少なくても充分な胴貼り強度を得ることができ、かつ、袋の開封に際して、作業者の手指を紙の端面で傷つけることのない積層袋を開発し、すでに、特許第３２３４７６１号（先行特許という）として権利化されている。
【０００４】
上記先行特許の積層袋は、「内層が紙、外層がプラスチックフィルムよりなる積層シートから構成された袋であって、内層は紙の一側端部をプラスチックフィルムの一側端部より延出させて紙貼合部とし、外層は紙の他側端部よりプラスチックフィルムの他側端部を延出させてフィルム貼合部として筒状体を構成し、かつ、前記プラスチックフィルムのフィルム貼合部及び一側端部を貼り合わせる際、外側になるフィルム貼合部の外側端部を余剰させて貼り合わせ、該筒状体の一方の端部を底部として閉塞し、他端部を開封用の閉塞部とすることを特徴とする積層袋。」を要件とするものである。
【０００５】
本発明者らは、上記先行特許を製作工程、価格ならびに使用面から追試するなかで、積層袋の強度を内容物の収納に耐え得る範囲で、製作工程の簡素化ならびに価格面でのコストダウンを図り得る構成を求めて更なる実験を進めたところ、先行特許における筒状体の胴貼りを内層（紙）同士だけで行い、外層のプラスチックフィルム同士はとくに接合されていなくても、積層袋は内容物の収納に耐え得るだけの強度を保持できることを知見し、さらに、内層同士および外層同士の両方で行っていた胴貼り工程を半減することができ、作業工程の簡素化ならびに価格面でのコストダウンに大きく寄与できることを知見し、本発明を完成した。つまり、本発明の目的は、安価にかつ簡便に積層シートを胴貼りして筒状体にすることができ、かつ、内容物を収納するに十分な強度を保持した積層袋を提供することにある。
【０００６】
【課題を解決するための手段】
本発明の積層袋は、上記課題を解決するために提案されたものであって、下記の構成からなることを特徴とするものである。
すなわち、本発明によれば、内層が紙、外層がプラスチックフィルムよりなる積層シートの筒状体から構成され、筒状体の一方の端部を底部として閉塞し、他端部を開封用の閉塞部とする積層袋であって、該積層シート側端部の接合は、該積層袋の内面に位置する積層シートの内層の側端部をプラスチックフィルムの側端部より延出させた延出部と、積層袋の外面に位置する内層とのみで行うことを特徴とする積層袋が提供される。
【０００７】
また、本発明によれば、前記積層袋の外面の側端が同一長さの内層と外層で構成されている上記積層袋が提供される。
【０００８】
また、本発明によれば、前記積層袋の外面の側端が内層よりも外層が延出状態に構成されている上記積層袋が提供される。
【０００９】
また、本発明によれば、前記積層袋が両側端にガセット部を有し、その底部および／または開封用閉塞部を一回折り曲げで閉塞し、その上からカットテープが接着一体化されているオーバーテープで覆い封緘接着されている上記積層袋が提供される。
【００１０】
【発明の実施の形態】
以下、本発明の実施の形態を図面に基づいて詳述する。
図１は本発明の実施形態を示す積層袋の斜視図、図２は積層シートを示す断面図、図３は図１のＡ−Ａ線に沿う断面図、図４は図３のＳ部の拡大断面図である。図において、１は積層袋を示し、この積層袋１は、紙２とプラスチックフィルム３からなる積層シート６を筒状体に形成したものからなっている。積層シート６は、紙とプラスチックフィルムが必ずしも全面に接合されている必要はなく、接着剤を用いて線状、スポット状、格子状などの任意の接合手段を用いて積層することができる。この積層シート６は紙（内層）２の一側端部２ａをプラスチックフィルム３（外層）の一側端部３ａより延出させて紙貼合部４として形成される。筒状体を製作するに当たっては、この紙貼合部４が積層シートの内層の他端部２ｂ近傍と接着剤１１によって胴貼りされる。
【００１１】
積層シート６の一方の端部（２ｂ，３ｂ）は、接合部１２において切断されていてもよいが、接合部１２が隠れる程度に若干延出された状態で筒状体外面に形成されることが望ましい。積層シート６の端部２ｂ（紙）と３ｂ（プラスチックフィルム）は、図２（ａ）に示すように同一端面をなしていてもよいが、図２（ｂ）、図４および図５に示すように外層であるプラスチックフィルムの端部３ｂが内層である紙の端部２ｂよりも延出された状態で形成されていることが好ましい。
【００１２】
プラスチックフィルムの端部３ｂが紙の端部２ｂよりも延出された状態で形成されていることにより、積層袋の取扱者が紙の端部２ｂで手指を傷つけることが防止できる。なお、積層シートの端部を同一端面にした場合は、取扱者が手指を傷つける恐れはあるが、積層袋の内容物が工場に搬入する粉体や食品などの場合には、作業性の点から作業者が軍手などで予め防備をしている場合があり、そのような場合には、紙の端部での手指の損傷は起こらないので、この点に配慮する必要はない。
したがって、上記積層袋端部の構成は、積層袋への収納物の種類によって、取扱者が一般消費者であるか工場の作業者であるか等を考慮して適宜使い分けすれぼよい。
【００１３】
積層シート６を構成する紙２としては、クラフト紙、クルパック紙などが使用され、厚みは一般に１００±２０μ程度で、形状、材質共に特に限定はない。プラスチックフィルム３としては、１５ないし２５μ程度のポリフィン系のものが主に使用されるが、これも通常軟質フィルムと呼ばれるものであれば、形状、材質共に特に限定はない。
【００１４】
この積層シート６は、図２（ａ）に示すように、端部（２ｂ，３ｂ）が同一端面である場合には、紙２を長さＬだけ延出して積層すればよく、プラスチックフィルムの他端部３ｂが、紙の端部２ｂよりも延出して形成される場合は、図２（ｂ）に示すように、３ｂが２ｂよりもＬ’だけ長めに延出していれば良い。上記Ｌの長さは、紙−紙同士の接合に必要な接着剤を塗布できる幅であれば良く、通常２０ないし３０ｍｍ程度であり、Ｌ’の長さは、手指が直接紙の端部２ｂ部分に触れないようにするためのプラスチックフィルムの長さであるから、３ないし７ｍｍ程度、好ましくは５ｍｍ程度で十分である。
【００１５】
この積層シート６は、紙２を内側にしてその両側端部を胴貼りして筒状体７にするが、その際筒状体７を折り畳んだ状態の両側端部をＶ字状に内側に折り込んでガセット１０、１０を形成することが好ましい。この胴貼りの構成は、図３、図４に示す通りである。なお、図３、図４においては、３ａと２ｂの間を離して記載しているが、これは説明のために誇張して示しているだけであり、実際には、３ａと２ｂは接合されていないだけで、殆ど隙間のない状態で重ね合わされている。
【００１６】
この際、プラスチックフィルムの端部３ｂが、紙の端部２ｂよりも延出されている場合は、紙２の端面が裸出することが完全に無くなくなるとともに、プラスチックフィルム３の端面３ｂは接着されていない自由端として形成されるからフィルム端面の柔らかさが手指を傷つけることがない。
紙２の紙貼合部４と他端部２ａの紙同士の貼り合わせは、通常、それに適したエマルジョン系接着剤１１を用いて行う。
【００１７】
一般的に、紙同士の貼合強度は剪断強度が１．０ｋｇｆ／ｃｍ以上を確保できるの対して、剥離強度は０．２ｋｇｆ／ｃｍ以下であり、紙同士の接合で内容物の保持に耐え得る強度が保持できる。
【００１８】
図５は本発明の応用例を示すものであり、積層シート６による筒状体７の内側にさらに単独紙１３のみによる筒状体１４を挿入して二層袋１５としたものである。この二層袋１５の胴貼りの構成は、上述の積層シート６の貼り合わせに加えて、単独紙１３の一側端部１３ａに他側端部１３ｂをエマルジョン系接着剤１１により貼り合わせたものである。
【００１９】
紙２同士の貼り合わせ及びプラスチックフィルム３同士の貼り合わせによる胴貼りを終了した筒状体７（筒状体１４も同様）は、図６に示すように、その一端の開口部１６が図８の下部に示す二点鎖線の位置で一回折り曲げで閉塞され、筒状体７の横方向より長いオーバーテープ１７にて包囲されかつ筒状体７の両側端より延出させた状態で接着剤により封緘接着され、袋状とされる（図９参照）。
【００２０】
そして、この開口側のオーバーテープ１７には、開口部１６に沿ってカットテープ１８がオーバーテープに接着一体化されている。このカットテープ１８の両端に位置するオーバーテープ１７には、カットテープ１８を中心として両側に切れ目１９、１９が入り摘まみ片２０となっている。
袋の開封部は筒状体７を一回折り曲げで閉塞しているために、袋の開封に際して、摘まみ片２０を引っ張るだけで、カットテープ１８によりオーバーテープ１７が筒状体７の開口部１６に沿って切り裂かれ、内容物が折り曲げ部に滞留することなく、全量をスムーズに排出することができる。
【００２１】
このオーバーテープ１７は、図６に示すように、その延出部１７ａが筒状体７の折り目７ａまでしか接着剤により貼り付けられていないから、この積層袋１は物を入れた際その物の自重によりガセット１０が広がり易くなって、内容物の収納量が多くなる。
【００２２】
開口部１６が閉塞され袋状とされた筒状体７（筒状体１４も同様）は、内容物が収納された後、図７に示すように、その他端の開口部２１が一回折り曲げで閉塞され、筒状体７の横方向より長いオーバーテープ２２にて包囲されかつ筒状体７の両側端より延出させた状態で接着剤により貼りつけられ、密封状態に封緘され（図１０参照）、出荷されることになる。
なお、出荷の際、積層袋１は、カットテープに覆われているガセット部上端の袋の折り曲げ部分に指を入れて持ちあげることができ、重量物を収納した袋であっても、容易に移動することができる。なお、オーバーテープ１７及び２２は、いずれも耐油紙層で形成されていることにより、ペットフードなどの油成分の多いものにも耐えることができるものとなる。
【００２３】
上記した積層袋１の製造は、従来の製造プロセスにおいて、合同形状の紙２を長さＬだけずらして積層した積層シート６を使用し、ガセット１０、１０を形成し胴貼りして筒状体７（筒状体１４も同様）にする工程で、その間に紙貼合部４及び他側端部２ａの紙２同士の貼り合わせをエマルジョン系接着剤１１にて行うだけであり、複雑な製造設備を必要としない。しかも、筒状体の胴貼り個所が紙−紙同士の１か所だけであるために、上記先行特許のように、プラスチックフィルム同士を接合する熱溶融接着剤を必要とせず、コストダウンになるばかりでなく、作業工程の簡素化にも大きく寄与することになる。
【００２４】
次に上記構成になる積層袋１の使用方法を説明する。
上述のように既に一方の開口部１６が封止されている積層袋１を用意し、他方の開口部２１を開いて、包装用のペットフード、砂糖、化成品原料などの粉粒体を入れると、開口部１６は一回折り曲げで閉塞されているから物が多く入り、かつオーバーテープ１７の延出部１７ａが筒状体７の折り目７ｂまでしか接着剤により貼り付けられていないから、入れた物の自重によりガセット１０が広がり内容物が多く収納することができる。
【００２５】
また、本発明の一実施態様である、プラスチックフィルムの端部３ｂを延出させた場合は、プラスチックフィルムの柔らかさが、手指を傷付ける事態を未然に防止することができ、摘まみ片２０を引っ張れば、カットテープ１８によりオーバーテープ１７が筒状体７の開口部１６に沿って切り裂かれることになり、この積層袋１は開口部１６全体が容易に開封され、内容物を袋のひだなどに滞留することなく、全量をスムーズに取り出すことができる。
【００２６】
以上、本発明の実施形態を図面に基づき説明したが、具体的な構成はこれに限定されず、本発明の要旨を逸脱しない限りにおいて適宜変更あるいは追加できることは理解されるであろう。
【００２７】
【発明の効果】
以上詳述したように、本発明によれば、積層袋の製造工程を簡素化するとともに、コストダウンを図ることができ、かつ、内容物の収納・運搬などの作業に耐え得るだけの強度を保持した積層袋を提供することができる。
また、積層袋を構成する筒状体の外層端部に、プラスチックフィルムの延出部を形成した場合は、積層袋の取扱を素手で行った場合でも、紙層の端部で手指を傷つけることがないという安全性が確保される。
また、袋の開口部は一回折り曲げで、その上からカットテープを接着一体化したオーバーテープで封緘閉塞されるため、開封に際しては、カットテープを引っ張るだけで袋の開口部全体が大きく開口され、内容物が袋のひだなどに滞留することなくスムーズに排出させることができる。しかも、ガセット部上端は、袋を折り曲げて、その上からオーバーテープで封緘接着しているために、袋両端のガセット部上端部分に指を差し込んで、容易に袋を持ちあげることができ、運搬上のメリットになる。
【図面の簡単な説明】
【図１】本発明の実施形態を示す積層袋の斜視図である。
【図２】本発明の積層シートの構成を示す断面図であり、（ａ）は紙層とプラスチックフィルム層の他端部が同一面に形成されたもの、（ｂ）はプラスチックフィルムの他端部が紙層の他端部よりも延出されて形成されたものを示す。
【図３】図１のＡ−Ａ線に沿う断面図である。
【図４】図３のＳ部の拡大断面図である。
【図５】本発明の他の実施形態を示す図３と同状の断面図である。
【図６】本発明の実施形態を示す積層袋開口部の封止を示す一部を切欠いた斜視図である。
【図７】本発明の実施形態を示す積層袋開口部の封止を示す一部を切欠いた斜視図である。
【図８】本発明の実施形態を示す積層袋開口部の封止工程の側面図である。
【図９】本発明の実施形態を示す積層袋開口部の封止工程の側面図である。
【図１０】本発明の実施形態を示す積層袋開口部の封止工程の側面図である。
【図１１】本発明の実施形態の積層袋を使用状態を示す斜視図である。
【符号の説明】
１              積層袋
２              紙（内層）
２ａ            紙側端部
２ｂ            紙他端部
３              プラスチックフィルム（外層）
３ａ            プラスチックフィルム側端部
３ｂ            プラスチックフィルム他端部
４              紙貼合部
６              積層シート
７，１４        筒状体
７ａ            折り目
１０            ガセット
１１            エマルジョン系接着剤
１２            接合部
１３            単独紙
１５            二層袋
１６，２１      開口部
１７，２２      オーバーテープ
１７ａ，２２ａ  延出部
１８            カットテープ
１９            切れ目
２０            摘まみ片
【図１】
0003673221.tif 000002
【図２】
0003673221.tif 000003
【図３】
0003673221.tif 000004
【図４】
0003673221.tif 000005
【図５】
0003673221.tif 000006
【図６】
0003673221.tif 000007
【図７】
0003673221.tif 000008
【図８】
0003673221.tif 000009
【図９】
0003673221.tif 000010
【図１０】
0003673221.tif 000011
【図１１】
0003673221.tif 000012